(57)【要約】【課題】病人等が誤った薬剤を服用することを防止可能な薬剤収容セットを提供する。【解決手段】薬剤を収容する開閉可能な収容器１０と、収容器１０が着脱可能に設けられ収容器１０の閉状態を解除する解除器２０とを含む薬剤収容セット１において、収容器１０は、薬剤を収容する本体部１１に対して開位置と閉位置との間で移動可能な蓋１２と、蓋１２を閉位置にロックするロック部材１４とを備え、解除器２０は、ロック部材１４と対応する位置に設けられ、収容器１０が解除器２０に装着される際にロック部材１４に作用して蓋１２の閉位置のロック状態を解除する解除板２２を備える。【選択図】図３
2016131842.tif 000002
【特許請求の範囲】
【請求項１】
薬剤を収容する開閉可能な収容器と、前記収容器が着脱可能に設けられ前記収容器の閉状態を解除する解除器とを含む薬剤収容セットであって、
前記収容器は、
前記薬剤を収容する収容部材に対して開位置と閉位置との間で移動可能な開閉部材と、
前記開閉部材を前記閉位置にロックするロック部材とを備え、
前記解除器は、
前記ロック部材と対応する位置に設けられ、前記収容器が前記解除器に装着される際に前記ロック部材に作用して前記開閉部材の前記閉位置のロック状態を解除する解除部材を備える、
薬剤収容セット。
【請求項２】
前記ロック部材は、前記収容器に設けられた複数の第１取付け部のうちの少なくとも一つの第１取付け部に取り付けられており、
前記解除部材は、前記解除器の前記複数の第１取付け部に対応する位置に設けられた複数の第２取付け部のうちの少なくとも一つの第２取付け部に取り付けられている、
請求項１に記載の薬剤収容セット。
【請求項３】
前記複数の第１取付け部は、前記収容器の長手方向に沿って設けられ、
前記ロック部材は、前記長手方向の両端に位置する二つの前記第１取付け部に、それぞれ取り付けられている、
請求項２に記載の薬剤収容セット。
【請求項４】
前記収容器は、前記複数の第１取付け部の各々に前記ロック部材を取り付ける際のガイドとなる第１ガイド部を更に備え、
前記解除器は、前記複数の第２取付け部の各々に前記解除部材を取り付ける際のガイドとなる第２ガイド部を更に備える、
請求項２又は３に記載の薬剤収容セット。
【請求項５】
前記開閉部材は、前記解除部材により前記閉位置のロック状態が解除されると、前記閉位置から前記開位置へ向けて回動する、
請求項１から４のいずれか１項に記載の薬剤収容セット。
【請求項６】
前記ロック部材は、前記開閉部材に設けられており、前記収容部材に係止することで前記開閉部材を前記閉位置にロックするフック部材であり、
前記解除部材は、前記収容器が前記解除器に装着される際に前記ロック部材を押して変位させることでロック状態を解除する、
請求項１から５のいずれか１項に記載の薬剤収容セット。
【請求項７】
前記ロック部材は、軸に回動可能に支持され、
前記収容器は、前記ロック部材を付勢する付勢部材を更に備え、
前記解除部材は、前記収容器が前記解除器に装着される際に、前記付勢部材の付勢力に抗い前記ロック部材を回動させて係止状態を解除する、
請求項６に記載の薬剤収容セット。
【請求項８】
前記収容器は、前記係止状態が解除された前記ロック部材が所定量以上回動することを規制する回動規制部を更に備え、
前記付勢部材は、前記回動規制部と前記ロック部材の間に設けられている、
請求項７に記載の薬剤収容セット。
【発明の詳細な説明】
【技術分野】
【０００１】
本発明は、薬剤を収容する薬剤収容セットに関するものである。
【背景技術】
【０００２】
病気を治すために、病人等には様々な種類の薬が処方される。処方される薬は、通常、朝、昼、夜と服用時間が指定されているので、病気を治癒するためには指定時間に正しく薬を服用することが病人に求められる。そこで、曜日や時間帯（朝、昼、夜）毎に服用する薬を収納する薬ケースが提案されている。
【０００３】
例えば、特許文献１には、曜日や時間帯に応じた薬をそれぞれ収納する複数の収納小室が形成された本体と、収納小室を開閉する蓋とを有する薬ケースが開示されている。また、薬ケースは、蓋を閉じた状態に保持する係止手段と、閉じた蓋を開けるための操作爪とを有する。
【先行技術文献】
【特許文献】
【０００４】
【特許文献１】特開平０７−２３６６８１号公報
【発明の概要】
【発明が解決しようとする課題】
【０００５】
ところで、介護施設及び病院等においては、介護・看護スタッフが、複数の病人の各々に対応する薬ケースを配る。しかし、介護・看護スタッフは、多数の病人の薬ケースを管理しているので、一の病人に他の病人の薬ケースを誤って渡してしまう場合がある。特許文献１に記載されているような従来の薬ケースにおいては、操作爪を指先で上げることで係止手段の係止状態を解除できるため、介護・看護スタッフが、誤った薬ケースを病人に渡してしまうと、病人は、誤って渡された薬ケースに収容されている他の病人用の薬剤を服用してしまうという問題があった。
【０００６】
そこで、本発明は上述した点に鑑みてなされたものであり、病人等が誤った薬剤を服用することを防止可能な薬剤収容セットを提供することを目的とする。
【課題を解決するための手段】
【０００７】
本発明の第１の態様においては、薬剤を収容する開閉可能な収容器と、前記収容器が着脱可能に設けられ前記収容器の閉状態を解除する解除器とを含む薬剤収容セットであって、前記収容器は、前記薬剤を収容する収容部材に対して開位置と閉位置との間で移動可能な開閉部材と、前記開閉部材を前記閉位置にロックするロック部材とを備え、前記解除器は、前記ロック部材と対応する位置に設けられ、前記収容器が前記解除器に装着される際に前記ロック部材に作用して前記開閉部材の前記閉位置のロック状態を解除する解除部材を備える、薬剤収容セットを提供する。
【０００８】
前記ロック部材は、前記収容器に設けられた複数の第１取付け部のうちの少なくとも一つの第１取付け部に取り付けられており、前記解除部材は、前記解除器の前記複数の第１取付け部に対応する位置に設けられた複数の第２取付け部のうちの少なくとも一つの第２取付け部に取り付けられていてもよい。
【０００９】
前記複数の第１取付け部は、前記収容器の長手方向に沿って設けられ、前記ロック部材は、前記長手方向の両端に位置する二つの前記第１取付け部に、それぞれ取り付けられていてもよい。
【００１０】
前記収容器は、前記複数の第１取付け部の各々に前記ロック部材を取り付ける際のガイドとなる第１ガイド部を更に備え、前記解除器は、前記複数の第２取付け部の各々に前記解除部材を取り付ける際のガイドとなる第２ガイド部を更に備えてもよい。
【００１１】
前記開閉部材は、前記解除部材により前記閉位置のロック状態が解除されると、前記閉位置から前記開位置へ向けて回動してもよい。
【００１２】
前記ロック部材は、前記開閉部材に設けられており、前記収容部材に係止することで前記開閉部材を前記閉位置にロックするフック部材であり、前記解除部材は、前記収容器が前記解除器に装着される際に前記ロック部材を押して変位させることでロック状態を解除してもよい。
【００１３】
前記ロック部材は、軸に回動可能に支持され、前記収容器は、前記ロック部材を付勢する付勢部材を更に備え、前記解除部材は、前記収容器が前記解除器に装着される際に、前記付勢部材の付勢力に抗い前記ロック部材を回動させて係止状態を解除してもよい。
【００１４】
前記収容器は、前記係止状態が解除された前記ロック部材が所定量以上回動することを規制する回動規制部を更に備え、前記付勢部材は、前記回動規制部と前記ロック部材の間に設けられていてもよい。
【発明の効果】
【００１５】
本発明によれば、病人等が誤った薬剤を服用することを防止可能な薬剤収容セットを提供できるという効果を奏する。
【図面の簡単な説明】
【００１６】
【図１】本発明の一実施形態に係る薬剤収容セット１を示す斜視図である。
【図２】ロック状態の収容器１０が解除器２０に装着される際の薬剤収容セット１を示す斜視図である。
【図３】収容器１０のロック状態が解除器２０によって解除された状態の薬剤収容セット１を示す斜視図である。
【図４】蓋１２がロックされる前の状態の収容器１０の正面図である。
【図５】蓋１２がロック状態である収容器１０の正面図である。
【図６】図５のＡ−Ａ断面図である。
【図７】蓋１２のロック部材１４の取付け部１８を説明するための図である。
【図８】解除板２２がロック部材１４のロックを解除した状態を示す図である。
【図９】解除器２０から解除板２２を取り外した状態を示す平面図である。
【図１０】ロック部材１４の取付け位置の一例を説明するための図である。
【図１１】解除板２２の取付け位置の一例を説明するための図である。
【発明を実施するための形態】
【００１７】
＜薬剤収容セットの概要＞
図１〜図３を参照しながら、本発明の一実施形態に係る薬剤収容セットの概要について説明する。
【００１８】
図１は、一実施形態に係る薬剤収容セット１を示す斜視図である。図２は、ロック状態の収容器１０が解除器２０に装着される際の薬剤収容セット１を示す斜視図である。図３は、収容器１０のロック状態が解除器２０によって解除された状態の薬剤収容セット１を示す斜視図である。なお、説明の便宜上図３には薬剤が示されていないが、実際には収容器１０に薬剤が収容されている。
【００１９】
薬剤収容セット１は、例えば介護施設及び病院等で病人が服用する薬剤を収容するためのものである。薬剤収容セット１は、薬剤を収容する開閉可能な収容器１０と、収容器１０が着脱可能に設けられ収容器１０のロック状態を解除する解除器２０とを有する。薬剤収容セット１は、病人毎に利用されている。
具体的には、介護施設及び病院の介護・看護スタッフは、多数の病人の収容器１０をそれぞれ管理し、病人は自分用の解除器２０をそれぞれ所有している。なお、詳細は後述するが、各病人の収容器１０のロック部材１４の取付け位置は、それぞれ異なり、また各病人の解除器２０の解除板２２の取付け位置は、対応する収容器１０のロック部材１４の取り付け位置に対応している。これにより、仮に介護・看護スタッフが一の病人に他の病人の収容器１０を誤って渡しても、一の病人は、自己の解除器２０で他の病人の収容器１０のロック状態を解除できない。この結果、一の病人が誤って他の病人用の薬剤を服用することを防止できる。
【００２０】
収容器１０は、薬剤を収容する直方体形状のケースである。収容器１０は、樹脂製であり、薬剤が収容されているか否かを外から識別できるように例えば半透明になっている。収容器１０は、図３に示すように、本体部１１と、蓋１２と、ヒンジ部１３と、ロック部材１４と、係合凹部１５と、を有する。
【００２１】
本体部１１は、薬剤を収容する収容部材である。薬剤は、例えば錠剤、カプセル剤、散剤等である。本体部１１には、対応する曜日や時間帯の薬剤が収容されている。なお、本体部１１内には、薬剤が収納された袋等が収容されてもよい。
【００２２】
蓋１２は、本体部１１に対して開位置と閉位置との間で移動可能な開閉部材である。蓋１２は、ヒンジ部１３を介して本体部１１に回動可能に連結されている。蓋１２は、図１に示す閉位置と、図３に示す開位置との間で回動する。蓋１２は、閉位置に位置する際にロック部材１４によってロックされる。
【００２３】
ヒンジ部１３は、本体部１１の短手方向（図１のＸ方向）の一端側と、蓋１２の短手方向の一端側とを連結している。
【００２４】
ロック部材１４は、図３に示すように蓋１２に設けられており、本体部１１に係止することで蓋１２を閉位置にロックする。ロック部材１４は、蓋１２の短手方向においてヒンジ部１３とは反対側に設けられている。また、ロック部材１４は、蓋１２の長手方向（図３のＹ方向）で離間して複数（図３では３個）設けられている。なお、ロック部材１４によるロック機構の詳細については、後述する。
【００２５】
係合凹部１５は、本体部１１の短手方向の他端側の側壁に、長手方向（図１のＹ方向）に沿って所定間隔で複数設けられている。係合凹部１５には、蓋１２が閉位置に位置する際に、ロック部材１４が係止される。
【００２６】
解除器２０は、収容器１０が解除器２０に装着される際に、ロック部材１４に作用して蓋１２の閉位置のロック状態を解除する。解除器２０は、着脱凹部２１と、解除板２２と、取付け穴２４とを有する。
【００２７】
着脱凹部２１は、収容器１０が着脱可能に装着される凹部である。具体的には、図２に示すように、着脱凹部２１には、本体部１１の短手方向の他端側が装着される。着脱凹部２１の長手方向の長さは、収容器１０の本体部１１の長手方向の長さよりも若干大きくなっている。
【００２８】
解除板２２は、ロック部材１４による蓋１２のロック状態を解除する解除部材である。解除板２２は、ロック部材１４に対応する位置に側壁２３から着脱凹部２１に向けて突出するように、複数設けられている。なお、解除板２２によるロック解除機構の詳細については、後述する。
【００２９】
取付け穴２４は、解除器２０の長手方向に沿った側壁２３に形成された貫通穴であり、解除板２２を取り付ける取付け部の機能を有する。取付け穴２４は、係合凹部１５に対応する位置に複数設けられている。
【００３０】
また、本実施形態では、例えば病人毎に、又は曜日や時間帯（朝、昼、夜）毎に、異なる薬剤収容セット１が利用されている。これらの薬剤収容セット１においては、ロック部材１４の取付け位置及び解除板２２の取付け位置が、それぞれ異なる。これにより、適切な組み合わせの収容器１０及び解除器２０でなければ、収容器１０のロック状態が解除されない。この結果、一の病人が、他の病人用の薬剤を服用したり、誤った曜日や時間帯の薬剤を服用したりすることを効果的に防止できる。
【００３１】
＜蓋１２のロック機構及びロック解除機構の詳細構成＞
図４〜図７を参照しながら、蓋１２を閉位置にロックするロック機構の一例について説明する。本実施形態では、ロック部材１４が係合凹部１５に係止されることで、蓋１２がロックされる。
【００３２】
図４は、蓋１２がロックされる前の状態の収容器１０の正面図である。図５は、蓋１２がロック状態である収容器１０の正面図である。図６は、図５のＡ−Ａ断面図である。図７は、蓋１２のロック部材１４の取付け部１８を説明するための図である。ロック機構は、ロック部材１４と、係合凹部１５と、板バネ１６と、取付け部１８と、回動規制部１９とを含む。
【００３３】
ロック部材１４は、蓋１２の長手方向で離間して複数（図４では３個）設けられている。３個のロック部材１４は、蓋１２の内部に長手方向に沿って設けられた軸１７に回動可能に支持されている。なお、本実施形態ではロック部材１４が３個であることとしたが、これに限定されず、例えばロック部材１４が１個又は２個であったり、４個以上であったりしてもよい。
【００３４】
３個のロック部材１４の構造は同一であるので、一のロック部材１４の構成を例に挙げて説明する。ロック部材１４は、ここでは樹脂製であるが、これに限定されず、例えば金属製であってもよい。ロック部材１４は、支持部１４ａとフック部１４ｂとを有するフック部材である。
【００３５】
支持部１４ａは、軸１７に回動可能に支持されている。フック部１４ｂは、支持部１４ａとは反対側の先端部に設けられ、蓋１２が閉位置に位置する際に係合凹部１５に位置する。また、フック部１４ｂは、係合凹部１５の壁部１５ａと係合することで、蓋１２の閉位置におけるロック状態が保持される。
【００３６】
板バネ１６は、ロック部材１４を付勢する付勢部材である。板バネ１６は、回動規制部１９とロック部材１４の間に設けられている。ロック部材１４は、板バネ１６の付勢力を受けて、フック部１４ｂが係合凹部１５と係合する状態を保持する。
【００３７】
取付け部１８は、ロック部材１４を取り付ける空間を有する。取付け部１８は、図４及び図７に示すように、収容器１０の長手方向に沿って複数（図７では９個の取付け部１８−ａ〜１８−ｉ）設けられている。９個の取付け部１８のうちの一部の取付け部１８に、ロック部材１４が取り付けられている。具体的には、取付け部１８−ａ、１８−ｂ及び１８−ｉに、ロック部材１４がそれぞれ取り付けられている。
【００３８】
ロック部材１４は、長手方向の両端に位置する二つの取付け部１８−ａ及び取付け部１８−ｉに、それぞれ取り付けられている。かかる場合には、ロック位置が長手方向の両端側に位置するので、例えばユーザ等が強引にロックを解除しようと蓋１２を変形させても、ロック状態が解除されることを防止することができる。
【００３９】
また、蓋１２の長手方向において隣接する取付け部１８の間には、図７に示すように仕切り壁１２ａが形成されている。仕切り壁１２ａは、複数の取付け部１８の各々にロック部材１４を取り付ける際のガイドとなるガイド部材である。このような仕切り壁１２ａにより、ロック部材１４を取付け部１８に取り付けやすくなる。
【００４０】
回動規制部１９は、係止状態が解除されたロック部材１４が所定量以上回動することを規制する。回動規制部１９は、蓋１２の長手方向に沿って形成された壁である。回動規制部１９において板バネ１６の対応する部分（すなわち取付け部１８）には、凹部が形成されており、板バネ１６は、凹部とロック部材１４の間に位置する。凹部によって板バネ１６が移動することを抑制できるので、板バネ１６のロック部材１４への付勢状態が変化することを防止できる。
【００４１】
次に、図８及び図９を参照しながら、蓋１２の閉位置のロック状態を解除するロック解除機構の一例について説明する。
【００４２】
図８は、解除板２２がロック部材１４のロックを解除した状態を示す図である。図９は、解除器２０から解除板２２を取り外した状態を示す平面図である。ロック解除機構は、解除器２０の解除板２２と、取付け穴２４（図９に示す取付け穴２４−ａ〜２４−ｉ）を含む。
【００４３】
解除板２２は、解除器２０においてロック部材１４に対応する位置に設けられており、本実施形態では図３に示すように３個である。３個の解除板２２は、例えば矩形状の板である。
【００４４】
解除板２２は、収容器１０が解除器２０の着脱凹部２１（図１）に装着される際に、板バネ１６の付勢力に抗いロック部材１４を回動させて係止状態を解除する。具体的には、解除板２２は、係合凹部１５に位置するロック部材１４のフック部１４ｂを押圧することで、ロック部材１４が軸１７を中心に図８に示す反時計方向に回動し、この結果、ロック部材１４の係止状態が解除される。かかる構成により、解除器２０無しではロック状態を解除できないので、病人等が誤ってロック状態を解除することを有効に防止できる。
【００４５】
本実施形態では、解除板２２により閉位置のロック状態が解除されると、蓋１２は閉位置から開位置へ向けて回動する。これにより、ロック状態が解除されると蓋１２が回動して開くので、使用者はロック状態が解除されたことを容易に把握することができる。なお、ヒンジ部１３（図３）には、蓋１２を閉位置から開位置へ向かう方向に付勢するバネが設けられてもよい。
【００４６】
取付け穴２４は、解除板２２を取り付ける取り付け部であり、収容器１０の取付け部１８に対応する位置に設けられている。取付け穴２４は、解除器２０の長手方向に沿って複数（図９では９個）設けられている。具体的には、取り付け穴２４−ａ、２４−ｂ及び２４−ｉに、解除板２２がそれぞれ取り付けられている（図１参照）。
【００４７】
解除板２２は、取付け穴２４に圧入することで、取り付けられる。これにより、使用者が故意に解除板２２を取付け穴２４から取り外すことが困難な構成となっている。また、取付け穴２４は、解除板２２を取り付ける際のガイドの機能も有する。これにより、解除板２２を解除器２０に取り付けやすくなる。
【００４８】
＜ロック部材１４及び解除板２２の取付け位置＞
本実施形態では、病人毎に、又は曜日や時間帯（朝、昼、夜）毎に、異なる薬剤収容セット１が利用されている。これらの薬剤収容セット１においては、ロック部材１４の取付け位置及び解除板２２の取付け位置が、それぞれ異なる。
【００４９】
図１０は、ロック部材１４の取付け位置の一例を説明するための図である。図１１は、解除板２２の取付け位置の一例を説明するための図である。ここでは、時間帯（朝、昼、夜）毎に、使用する薬剤収容セット１が異なるものとする。
【００５０】
例えば、朝に服用する薬剤を収容する薬剤収容セット１のロック部材１４は、図１０（ａ）に示すように、取付け部１８−ａ、１８−ｂ及び１８−ｉにそれぞれ取り付けられている。そして、解除板２２は、図１１（ａ）に示すように取付け穴２４−ａ、２４−ｂ及び２４−ｉにそれぞれ取り付けられている（図９参照）。
【００５１】
昼に服用する薬剤を収容する薬剤収容セット１のロック部材１４は、図１０（ｂ）に示すように、取付け部１８−ａ、１８−ｃ及び１８−ｉにそれぞれ取り付けられている。そして、解除板２２は、図１１（ｂ）に示すように取付け穴２４−ａ、２４−ｃ及び２４−ｉにそれぞれ取り付けられている。
【００５２】
夜に服用する薬剤を収容する薬剤収容セット１のロック部材１４は、図１０（ｃ）に示すように、取付け部１８−ａ、１８−ｄ及び１８−ｉにそれぞれ取り付けられている。そして、解除板２２は、図１１（ｃ）に示すように取付け穴２４−ａ、２４−ｄ及び２４−ｉにそれぞれ取り付けられている。
なお、取付け穴２４−ａ、２４−ｉに取り付けられる解除板２２は、解除器２０と一体で構成され、取り外しができないようになっていてもよい。かかる場合には、一つの解除板２２を取付け穴２４ｂ〜２４ｈのいずれかに取り付けるだけでよい。
【００５３】
上述したように、本実施形態では、時間帯毎にロック部材１４の取付け位置及び解除板２２の取付け位置が異なることで、適切な組み合わせの収容器１０及び解除器２０でなければ、収容器１０のロック状態が解除されない。この結果、一の病人が、他の病人用の薬剤を服用したり、誤った曜日や時間帯の薬剤を服用したりすることを効果的に防止できる。また、本実施形態では、ロック部材１４及び解除板２２の取付け位置を変更するだけで、他の構成を変更しなくても、曜日や時間帯毎に使用する収容器１０及び解除器２０を変更できるので、利便性の高い薬剤収容セット１を実現できる。
【００５４】
なお、ロック部材１４及び解除板２２の取付け位置や取付けの個数は、図１０及び図１１に示す位置に限定されず、取付け位置や個数を調整することで、様々な取付けパターンを実現できる。また、例えば朝と夜で服用する薬剤が同じ場合には、朝及び夜で使用される薬剤収容セット１のロック部材１４及び解除板２２の解除板２２の取付け位置が同じであってもよい。かかる場合には、共通の収容器１０及び解除器２０を利用できる。
【００５５】
また、図１０及び図１１には図示していないが、収容器１０及び解除器２０に、例えば使用時間帯を特定するためのシールや刻印等が付されてもよい。これにより、使用者は、薬剤収容セット１に収容された薬剤の服用時間帯を視覚的に把握できる。また、収容器１０に薬剤を服用する病人の名前等が付されていてもよい。
【００５６】
＜変形例＞
上記では、蓋１２がヒンジ部１３を中心に開位置と閉位置との間で回動することとしたが、これに限定されない。例えば、蓋１２は、開位置と閉位置との間でスライドする構成であってもよい。
【００５７】
また、上記では、ロック部材１４が軸１７を中心に回動することとしたが、これに限定されない。例えば、ロック部材１４はスライドする構成であっても良い。かかる場合には、ロック部材１４は、スライドすることで係止状態が解除される。
【００５８】
また、上記では、ロック部材１４はブロック形状であることとしたが、これに限定されない。例えば、ロック部材１４は、板形状であってもよいし、針金等で線状に形成されてもよい。かかる場合には、収容器１０におけるロック部材１４の取付け位置を増やすことができる。
【００５９】
また、上記では、ロック部材１４が蓋１２に設けられていることとしたが、これに限定されない。例えば、ロック部材１４は、本体部１１に設けられ、蓋１２が閉位置に位置する際に蓋１２に係止されてもよい。
【００６０】
また、上記では、ロック部材１４及び板バネ１６が別部品であることとしたが、これに限定されない。例えば、ロック部材１４及び板バネ１６を一体化してもよい。かかる場合には、収容器１０にロック部材１４を取り付けやすくなる。
【００６１】
また、上記では、蓋１２のロック状態を解除する解除部材が、板状の解除板２２であることとしたが、これに限定されない。例えば、解除部材は、ピン形状であってもよい。
【００６２】
また、上記では、解除板２２がロック部材１４を押してロック状態を解除することとしたが、これに限定されない。例えば、ロック部材１４及び解除器２０が磁石を有し、収容器１０が解除器２０に装着される際に、磁石同士の作用によりロック部材１４のロック状態が解除されてもよい。すなわち、解除器２０は、機械的作用に限定されず、例えば電磁気的作用、熱的作用、流体的作用によって、ロック部材１４のロック状態を解除してもよい。
【００６３】
また、上記では、収容器１０が直方体形状のケースであることとしたが、これに限定されない。例えば、収容器は、袋状になってもよい。かかる場合に、袋の先端側に、ロック部材が設けられている。
【００６４】
＜本実施形態における効果＞
上述した本実施形態によれば、収容器１０は、蓋１２を閉位置にロックするロック部材１４を備え、解除器２０は、ロック部材１４と対応する位置に設けられ収容器１０が解除器２０に装着される際にロック部材１４に作用して蓋１２の閉位置のロック状態を解除する解除板２２を備える。
かかる場合には、仮に介護・看護スタッフが一の病人に他の病人の収容器１０を誤って渡しても、一の病人は、自己の解除器２０の解除板２２が他の病人の収容器１０のロック部材１４の取付け位置に対応しないため、他の病人の収容器１０の蓋１２のロック状態を解除できない。この結果、一の病人が、誤って他の病人用の薬剤を服用することを防止できる。
【００６５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００６６】
１    薬剤収容セット
１０    収容器
１１    本体部
１２    蓋
１２ａ    仕切り壁
１４    ロック部材
１５    係合凹部
１５ａ    壁部
１６    板バネ
１８    取付け部
１９    回動規制部
２０    解除器
２２    解除板
２４    取付け穴
【図１】
2016131842.tif 000003
【図２】
2016131842.tif 000004
【図３】
2016131842.tif 000005
【図４】
2016131842.tif 000006
【図５】
2016131842.tif 000007
【図６】
2016131842.tif 000008
【図７】
2016131842.tif 000009
【図８】
2016131842.tif 000010
【図９】
2016131842.tif 000011
【図１０】
2016131842.tif 000012
【図１１】
2016131842.tif 000013